(57)【要約】  【課題】  情報記憶装置が共有を許可しているフォルダを容易に確認することができるとともに、コピーしたいフォルダを確実に指定することにより、読み取った原稿の画像データが、意図しないフォルダへコピーされることを防止できる画像読取装置を提供する。  【解決手段】  本発明の画像読取装置としてのファクシミリ複合装置２０は、ＣＩＦＳプロトコルのブラウズ機能により、ＰＣ３０ａ，３０ｂ，…にアクセスし、フォルダ名を含む識別情報を取得し、取得した識別情報を表示部４に表示する。そして、スキャンＴｏフォルダ処理を行うべき対象先フォルダの入力を操作部５にて受け付け、ＣＩＦＳプロトコルのファイルコピー機能により、読取部２にて読み取った画像データを対象先フォルダにコピーする。【選択図】      図１
2005167357.tif 000002
【特許請求の範囲】
【請求項１】
原稿を読み取って画像データを生成し、生成した画像データを、ネットワークを介して接続された情報記憶装置へ送出する画像読取装置において、前記情報記憶装置がデータ共有を許可している一または複数のフォルダに係るフォルダ情報を取得する手段と、取得したフォルダ情報を表示する手段と、表示したフォルダ情報のうちの少なくとも一のフォルダ情報を指定する手段とを備え、指定したフォルダ情報に基づいて、生成した画像データを前記情報記憶装置へ送出すべくなしてあることを特徴とする画像読取装置。
【請求項２】
前記画像データのデータ形式を指定する手段と、読み取った原稿の画像データを、指定したデータ形式に変換する手段とを備えることを特徴とする請求項１に記載の画像読取装置。
【請求項３】
前記画像データのデータ形式を指定する手段と、読み取った原稿の画像データを圧縮して記憶する手段と、圧縮した画像データを、指定したデータ形式に変換する手段とを備えることを特徴とする請求項１に記載の画像読取装置。
【発明の詳細な説明】
【技術分野】
【０００１】
本発明は、原稿を読み取って生成した画像データを、ネットワークを介して接続された情報記憶装置へ送出する画像読取装置に関する。
【背景技術】
【０００２】
プリンタ機能、複写機能、スキャン機能およびファクシミリ機能などの多彩な機能を搭載したファクシミリ複合装置は、ＬＡＮおよびインターネットなどのネットワークを介して複数のＰＣ、ワークステーションなど（以下、単にＰＣという）に接続され、オフィスにおけるドキュメント入出力業務に利用されている。このような複数のＰＣ及びファクシミリ複合装置を接続したネットワークスキャンシステムにおいては、ＰＣのスキャン要求により、ネットワークを介して画像読取装置たるファクシミリ複合装置にて、原稿の読み取りが行われ、原稿に係る画像データが要求したＰＣに送出される。
【０００３】
また、ネットワークに接続されたＰＣが備える情報記憶装置（磁気ディスク装置、半導体メモリなど）のフォルダを、画像読取装置側から指定し、指定したフォルダへ読み取った画像データを送出する機能（スキャンＴｏフォルダ機能）を備えているものがある（例えば、特許文献１参照）。このようなスキャンＴｏフォルダ機能は、ＰＣを操作してスキャン要求を出すことなく、スキャンした画像データを送出したいフォルダを直接指定して、当該画像データをフォルダに記憶（コピー）することが可能となる。
【特許文献１】特開２００２−１００１１号公報
【発明の開示】
【発明が解決しようとする課題】
【０００４】
しかしながら、前述した画像読取装置は、画像データを送出したいフォルダを直接指定するに際して、フォルダを誤って指定してしまった場合には、利用者が意図しないフォルダに画像データがコピーされてしまうか、または指定したフォルダが存在しないときは、画像データがコピーされずに処理が終了してしまう虞がある。よって、利用者は、コピーしたはずの画像データを見出すことができない、つまり画像データの所在が不明になるという問題があった。
【０００５】
本発明は斯かる事情に鑑みてなされたものであり、情報記憶装置が共有を許可しているフォルダを容易に確認することができるとともに、コピーしたいフォルダを確実に指定することにより、読み取った原稿の画像データが、意図しないフォルダへコピーされることを防止できる画像読取装置の提供を目的とする。
【０００６】
また本発明は、読み取った原稿の画像データを、送出する情報記憶装置に好適なデータ形式へ変換することにより、情報記憶装置側であらためて画像データを変換する負担をなくすことができる画像読取装置の提供を目的とする。
【０００７】
さらに本発明は、読み取った原稿の画像データを圧縮して記憶することにより、画像データを蓄積する画像メモリなどの記憶容量を削減することができる画像読取装置の提供を目的とする。
【課題を解決するための手段】
【０００８】
第１発明に係る画像読取装置は、原稿を読み取って画像データを生成し、生成した画像データを、ネットワークを介して接続された情報記憶装置へ送出する画像読取装置において、前記情報記憶装置がデータ共有を許可している一または複数のフォルダに係るフォルダ情報を取得する手段と、取得したフォルダ情報を表示する手段と、表示したフォルダ情報のうちの少なくとも一のフォルダ情報を指定する手段とを備え、指定したフォルダ情報に基づいて、生成した画像データを前記情報記憶装置へ送出すべくなしてあることを特徴とする。
【０００９】
第１発明にあっては、ネットワークを介して接続された情報記憶装置から、データ共有を許可している一または複数のフォルダに係るフォルダ情報を取得することにより、そのフォルダ情報を表示し、表示したフォルダ情報のうちの少なくとも一のフォルダ情報を指定する。そして、原稿を読み取って生成した画像データを、指定したフォルダ情報に基づいて、情報記憶装置へ送出する。よって、利用者は、情報記憶装置が共有を許可しているフォルダを容易に確認することができる。また、フォルダ情報を指定するように構成されているため、画像データをコピーしたいフォルダを確実に指定することができ、意図しないフォルダに画像データが送出するされるような虞は全くない。
【００１０】
第２発明に係る画像読取装置は、第１発明において、前記画像データのデータ形式を指定する手段と、読み取った原稿の画像データを、指定したデータ形式に変換する手段とを備えることを特徴とする。
【００１１】
第２発明にあっては、情報記憶装置へ送出する際の画像データのデータ形式を指定し、読み取った原稿の画像データを、指定したデータ形式に変換して情報記憶装置へ送出する。よって、送出する情報記憶装置に好適なデータ形式へ画像データを変換することにより、情報記憶装置側であらためて画像データを変換する負担をなくすことができる。
【００１２】
第３発明に係る画像読取装置は、第１発明において、前記画像データのデータ形式を指定する手段と、読み取った原稿の画像データを圧縮して記憶する手段と、圧縮した画像データを、指定したデータ形式に変換する手段とを備えることを特徴とする。
【００１３】
第３発明にあっては、情報記憶装置へ送出する際の画像データのデータ形式を指定する。そして、一旦、読み取った原稿の画像データを圧縮して記憶し、情報記憶装置へ送出する際に、圧縮して記憶した画像データを、指定したデータ形式に変換して情報記憶装置へ送出する。よって、画像データを蓄積する画像メモリなどの記憶容量を削減することができる。
【発明の効果】
【００１４】
本発明によれば、情報記憶装置が共有を許可しているフォルダを容易に確認することができるとともに、コピーしたいフォルダを確実に指定することにより、読み取った原稿の画像データが、意図しないフォルダへコピーされることを防止できる。
【００１５】
また本発明によれば、送出する情報記憶装置に好適なデータ形式へ、読み取った原稿の画像データを変換することにより、情報記憶装置側であらためて画像データを変換する負担をなくすことができる。
【００１６】
さらに本発明によれば、読み取った原稿の画像データを圧縮して記憶することにより、画像データを蓄積する画像メモリなどの記憶容量を削減することができる等、優れた効果を奏する。
【発明を実施するための最良の形態】
【００１７】
以下、本発明をその実施の形態を示す図面を参照して具体的に説明する。
【００１８】
（実施の形態１）
図１は、本発明の画像読取装置としてのファクシミリ複合装置が接続された態様の通信ネットワーク構成を示すブロック図である。ＬＡＮ５０には、本発明に係るファクシミリ複合装置２０、パーソナルコンピュータ（以下、ＰＣ）３０ａ，３０ｂ，…などが接続されている。なお、ファクシミリ複合装置２０は、公衆電話回線網（ＰＳＴＮ：Public Switched Telephone Network）を用いた従来からのファクシミリ機能としても利用可能であることは言うまでもないので、図においてＰＳＴＮを介して他のファクシミリ装置との接続の態様は省略している。また、以下、画像読取装置としてファクシミリ複合装置に適用した場合につき説明するが、ネットワーク対応型の機器であれば、その形態について限定されるものではない。
【００１９】
ファクシミリ複合装置２０は、制御部１，読取部２，記録部３，表示部４，操作部５，ＲＯＭ６，ＲＡＭ７，画像メモリ８，コーデック部９，データ形式変換部１４，モデム１０，ＮＣＵ（Network Control Unit）１１，ＬＡＮインタフェイス部（以下、ＬＡＮＩＦ）１２などを備えている。制御部１は、具体的にはＣＰＵで構成されており、バス１３を介してファクシミリ複合装置２０の上述したようなハードウェア各部と接続されていて、それらを制御すると共に、ＲＯＭ６に格納された制御プログラムに従って、種々のソフトウェア的機能を実行する。
【００２０】
読取部２は、例えばＣＣＤイメージセンサを利用して原稿を読み取り、読み取った画像データを出力する。プラテンガラスに給送された原稿を光学ユニットが照射して走査し、原稿からの反射光をミラー，レンズなどを介してＣＣＤイメージセンサに取り込んで、走査された原稿の画像データを読み取る。読み取られた画像データは、シェーディング処理などが施された後に出力される。記録部３は、電子写真方式のプリンタ装置であって、読取部２にて読み取った原稿の画像データ、ファクシミリ通信により受信した画像データ、外部のＰＣ３０ａ，３０ｂ，…から受信および取得した画像データなどに応じた画像を記録紙に印刷する。
【００２１】
表示部４は、液晶表示装置またはＣＲＴディスプレイ等の表示装置であり、ファクシミリ複合装置２０の動作状態を表示したり、ユーザへ操作入力を促す画面を表示したり、送出すべく読み取った原稿の画像データ、他のファクシミリ装置から取得した画像データ、またはＰＣから受信および取得した画像データなどの表示を行う。また、詳細は後述するが、スキャンＴｏフォルダ機能に関する情報の表示を行うべく構成されている。
【００２２】
操作部５は、ファクシミリ複合装置２０を操作するために必要な文字キー，テンキー，短縮ダイヤルキー，ワンタッチダイヤルキー，各種のファンクションキーなどを備えている。操作部５は、ファンクションキーとして、スキャンＴｏフォルダ処理を行うか否かを設定するスキャンＴｏフォルダキー５ａと、読み取りを実行するスキャンキー５ｂとを有する。なお、表示部４をタッチパネル方式とすることにより、操作部５の各種のキーの内の一部または全部を代用することも可能である。
【００２３】
ＲＯＭ６は、ファクシミリ複合装置２０の動作に必要な種々のソフトウェアのプログラムを予め格納している。ＲＡＭ７は、ＳＲＡＭまたはフラッシュメモリ等で構成され、ソフトウェアの実行時に発生する一時的なデータを記憶する。
【００２４】
データ形式変換部１４は、操作部５の指示に応じて、読取部２にて読み取った画像データを、例えばＴＩＦＦ形式、ＰＤＦ形式、ＪＰＥＧ形式などの形式に変換する機能を有する。画像メモリ８は、データ形式変換部によって変換された画像データ、他のファクシミリ装置から取得した画像データ、ＰＣから受信および取得した画像データなどを蓄積する。コーデック部９は、画像メモリ８に蓄積されている画像データにアクセスして、画像データが符号化されている場合には、符号化されている画像データを復号化するとともに、印刷用のイメージデータに変換（ラスタライズ）して記録部３へ出力する。
【００２５】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、ＰＳＴＮとの回線５１の閉結及び開放の動作を行うハードウェアであり、必要に応じてモデム１０をＰＳＴＮと接続する。そして、ファクシミリ複合装置２０は、ＰＳＴＮによって他のファクシミリ装置と接続されており、通常のファクシミリ通信が行えるようになっている。
【００２６】
ＬＡＮＩＦ１２は、ＬＡＮ５０を介して外部のＰＣ３０ａ，３０ｂ，…に接続されており、ＰＣ３０ａ，３０ｂ，…との間でデータのやりとりを行う。ＰＣ３０ａ，３０ｂ，…は、記憶部３１、ＬＡＮＩＦ３２を備えており、記憶部３１には、各種の画像データのファイルがフォルダに格納されている。ＰＣ３０ａ，３０ｂ，…で作成・編集された各種の画像データがＬＡＮ５０を介してファクシミリ複合装置２０へ送出され、送出された画像データに応じた画像がファクシミリ複合装置２０（記録部３）にて記録紙に印刷されるようになっている。
また、ＬＡＮＩＦ１２は、例えばＣＩＦＳ（Common Internet File System）プロトコルに準拠した通信制御ができるようになしてあり、ファクシミリ複合装置２０から、ＰＣ３０ａ，３０ｂ，…に対して、リモートファイルアクセスができるように構成されている。つまり、ＬＡＮＩＦ１２は、制御部１に制御されて、ＬＡＮ５０を介してＰＣ３０ａ，３０ｂ，…の記憶部３１のフォルダにアクセスし、読取部２にて読み取った画像データをファイルとしてコピーさせる機能を有している。
【００２７】
次に、本実施形態に係るファクシミリ複合装置が行う動作を、フローチャートを用いて説明する。図２および図３は、本発明の実施の形態１に係るファクシミリ複合装置が行う処理手順を示すフローチャートである。
制御部１は、スキャンＴｏフォルダキー５ａの押下の有無に基づいて、スキャンＴｏフォルダ処理が設定されているか否かを判断する（ステップＳ１）。スキャンＴｏフォルダ処理が設定されていない場合（Ｓ１：ＮＯ）、処理をＳ１に戻す。スキャンＴｏフォルダ処理が設定されている場合（Ｓ１：ＹＥＳ）、制御部１は、ＬＡＮ５０に接続されたＰＣ３０ａ，３０ｂ，…のホスト情報を取得する（ステップＳ２）。ホスト情報は、例えば、ＩＰアドレスなどであり、ファクシミリ複合装置の電源投入またはシステム構成に変更がなされた場合に、自動的に更新されるようになっている。
【００２８】
制御部１は、ＣＩＦＳプロトコルのブラウズ機能により、ホスト情報に基づいてＰＣ３０ａ，３０ｂ，…にアクセスし、各ＰＣがファクシミリ複合装置２０に対して共有を許可しているフォルダ名およびファイル名を含む識別情報を取得する（ステップＳ３）。ＣＩＦＳプロトコルは、リモートファイルアクセスに関するプロトコルであり、ファクシミリ複合装置２０が有するファイルシステムに、ＰＣ３０ａ，３０ｂ，…のファイル情報をマウントして、ＰＣ３０ａ，３０ｂ，…が保有するファイルの識別情報の取得、および当該ファイルの読出／書込を行う。
【００２９】
ファイルの識別情報は、図４のテーブル図に示すように、ファイルを格納しているフォルダ名およびファイル名を含んでおり、これら識別情報を、当該ＰＣを識別するホスト名と関連付けることにより、ネットワーク上で共有する全てのファイルを一意に識別することができる。よって、この識別情報を用いることにより、ネットワークに接続されたＰＣへファイルを送出することができるようになる。
【００３０】
制御部１は、Ｓ３にて取得したフォルダ名およびファイル名を含む識別情報を表示部４に表示する（ステップＳ４）。このようにして、利用者は、各ＰＣが保有するファイル名を、そのファイルが記憶されているフォルダ名とともに、表示部４にて視覚的に確認することができる。ここで、キーワードの入力を操作部５にて受け付け、受け付けたキーワードを含む、または一致する識別情報のみを選別して表示部４に表示するようにしてもよい。
【００３１】
そして、制御部１は、スキャンＴｏフォルダ処理を行う場合の対象先フォルダの指定を操作部５にて受け付ける（ステップＳ５）とともに、スキャンファイル名の入力を操作部５にて受け付ける（ステップＳ６）。また、制御部１は、Ｓ５にて指定した対象先フォルダへ送出するスキャンファイル（スキャンすることにより得られる画像データ）のファイル形式の指定を操作部５にて受け付ける（ステップＳ７）。なお、指定するファイル形式として、任意の形式であってよいが、以下、ＴＩＦＦ形式、ＰＤＦ形式またはＪＰＥＧ形式のうちのいずれかの形式であるとして説明する。
【００３２】
Ｓ４乃至Ｓ７の具体的な表示および受付方法としては、図５に示すような表示画面４０を表示部４に表示する。表示画面４０には、ネットワークを介して接続されているＰＣのホスト名、そのホスト名で識別されるＰＣが保有するフォルダ名、およびそのフォルダ名で識別されるフォルダに格納されているファイルのファイル名がウィンドウ４１に表示される。その表示方式としては、いずれのホストのどのフォルダにいかなるファイルが格納されているかを利用者が容易に確認できるように、階層状（ツリー状）になっている。なお、指定したフォルダに係るアイコンには、当該フォルダのホスト名およびフォルダ名が利用者に分かるように、色または模様が付けてある。このようにすることにより、利用者は所望するフォルダを確実に指定することができ、スキャンファイルを意図しないフォルダへ送出するような虞は全くない。
【００３３】
また、表示画面４０には、スキャンファイル名の入力ボックス４２が表示されており、利用者が操作部５により入力したスキャンファイル名を確認できるようになっている。さらに、表示画面４０には、プルダウン形式の入力ボックス４３が表示されており、スキャンファイルを送出する際のファイル形式を指定できるとともに、ファイル形式を確認できるようになっている。図５においては、スキャンファイル名がファイルＡに、ファイル形式がＴＩＦＦ形式に指定された場合を示している。そして、利用者が設定ボタン４４を押下することにより、指定した対象先フォルダ、スキャンファイル名およびファイル形式が設定される。なお、図５に示したように、ファイル名の拡張子からファイル形式を判定して表示するようにしてもよい。また、フォルダに同一ファイル名を有するファイルがすでに存在する場合には、警告を報知するようにすれば、すでに存在するファイルが誤って書き換えられる事態を防止できる。
【００３４】
制御部１は、スキャンキー５ｂの押下の有無に基づいて、読み取りを実行するか否かを判断する（ステップＳ８）。スキャンキー５ｂが押下された場合（Ｓ８：ＹＥＳ）、制御部１は読取部２に原稿の読み取りを要求し、読取部２は原稿の画像データを読み取る（ステップＳ９）。
【００３５】
制御部１は、Ｓ７にて受け付けたファイル形式の指定がＴＩＦＦ形式であるか否かを判定し（ステップＳ１０）、ファイル形式の指定がＴＩＦＦ形式であると判定した場合（Ｓ１０：ＹＥＳ）、制御部１はデータ形式変換部１４に、Ｓ９にて読み取った画像データをＴＩＦＦ形式へ変換するように要求し、データ形式変換部１４は、画像データをＴＩＦＦ形式に変換して画像メモリ８に蓄積する（ステップＳ１１）。
【００３６】
一方、Ｓ１０にて、ファイル形式の指定がＴＩＦＦ形式でないと判定した場合（Ｓ１０：ＮＯ）、制御部１は、Ｓ７にて受け付けたファイル形式の指定がＰＤＦ形式であるか否かを判定し（ステップＳ１２）、ファイル形式の指定がＰＤＦ形式であると判定した場合（Ｓ１２：ＹＥＳ）、制御部１はデータ形式変換部１４に、Ｓ９にて読み取った画像データをＰＤＦ形式に変換するように要求し、データ形式変換部１４は、画像データをＰＤＦ形式に変換して画像メモリ８に蓄積する（ステップＳ１３）。
【００３７】
一方、Ｓ１２にて、ファイル形式の指定がＰＤＦ形式でないと判定した場合（Ｓ１２：ＮＯ）、制御部１はデータ形式変換部１４に、Ｓ９にて読み取った画像データをＪＰＥＧ形式に変換するように要求し、データ形式変換部１４は、画像データをＪＰＥＧ形式に変換して画像メモリ８に蓄積する（ステップＳ１４）。
【００３８】
制御部１は、次に読み取る原稿があるか否かを判定（ステップＳ１５）し、次の原稿があると判定した場合（Ｓ１５：ＹＥＳ）には、動作がＳ９に戻って、次の原稿の読み取りを行う。一方、次の原稿がないと判定した場合（Ｓ１５：ＮＯ）には、所定のファイル形式に変換された画像データを画像メモリ８から読み出し、Ｓ６にて受け付けたスキャンファイル名としたファイルとし、そのファイルを、Ｓ５にて指定を受け付けた対象先フォルダへ、ＣＩＦＳプロトコルのファイルコピー機能によりコピーする（ステップＳ１６）。なお、制御部１は画像メモリ８に蓄積した各種形式の画像データを適宜削除するようにしておく。
【００３９】
以上のように、本発明のファクシミリ複合装置２０においては、利用者は、ＰＣ３０ａ，３０ｂ，…が共有を許可しているフォルダを容易に確認することができる。また、フォルダ情報（フォルダ名）を指定するように構成されているため、画像データをコピーしたいフォルダを確実に指定することができ、意図しないフォルダに画像データがコピーされるような虞は全くない。
【００４０】
（実施の形態２）
本実施形態の画像読取装置としてのファクシミリ複合装置の構成は図１に示すものと同様である。データ形式変換部１４は、一旦、読取部２にて読み取った画像データをファクシミリの符号化形式（ＭＨ、ＭＲ、ＭＭＲ、ＪＢＩＧなど）に変換して画像メモリ８に蓄積するようにし、ＰＣへ画像データを送出する際に、操作部５の指示に応じたファイル形式に変換するようにしてもよく、このようにしたものが実施の形態２である。
【００４１】
本実施形態に係るファクシミリ複合装置が行う動作を、フローチャートを用いて説明する。図６および図７は、本発明の実施の形態２に係るファクシミリ複合装置が行う処理手順を示すフローチャートである。
制御部１は、スキャンキー５ｂの押下の有無に基づいて、読み取りを実行するか否かを判断する（ステップＳ２１）。スキャンキー５ｂが押下された場合（Ｓ２１：ＹＥＳ）、制御部１は読取部２に原稿の読み取りを要求し、読取部２は原稿の画像データを読み取る（ステップＳ２２）。
【００４２】
制御部１は、データ形式変換部１４に、Ｓ２２にて読み取った画像データをファクシミリ符号化形式（ＭＨ、ＭＲ、ＭＭＲ、ＪＢＩＧなど）へ変換するように要求し、データ形式変換部１４は、画像データをファクシミリ符号化形式に変換して画像メモリ８に蓄積する（ステップＳ２３）。制御部１は、次に読み取る原稿があるか否かを判定（ステップＳ２４）し、次の原稿があると判定した場合（Ｓ２４：ＹＥＳ）には、動作がＳ２２に戻って、次の原稿の読み取りを行う。一方、次の原稿がないと判定した場合（Ｓ２４：ＮＯ）、制御部１は、画像メモリ８からファクシミリ符号化形式の画像データを読み出し（ステップＳ２５）、読み出したファクシミリ符号化形式の画像データを送信先のファクシミリ装置へ送信する（ステップＳ２６）。なお、送信先はスキャンキー５ｂの押下の前に、利用者などにより操作部５から予め設定される。
【００４３】
そして、制御部１は、スキャンＴｏフォルダキー５ａの押下の有無に基づいて、スキャンＴｏフォルダ処理が設定されているか否かを判断する（ステップＳ２７）。Ｓ２７にてスキャンＴｏフォルダ処理が設定されていない場合（Ｓ２７：ＮＯ）は処理を終了する。一方、スキャンＴｏフォルダ処理が設定されている場合（Ｓ２７：ＹＥＳ）、制御部１は、ＬＡＮ５０に接続されたＰＣ３０ａ，３０ｂ，…のホスト情報を取得する（ステップＳ２８）。そして、制御部１は、ＣＩＦＳプロトコルのブラウズ機能により、ホスト情報に基づいてＰＣ３０ａ，３０ｂ，…にアクセスし、各ＰＣがファクシミリ複合装置２０に対して共有を許可しているフォルダ名およびファイル名を含む識別情報を取得する（ステップＳ２９）。
【００４４】
制御部１は、Ｓ２９にて取得したフォルダ名およびファイル名を含む識別情報を表示部４に表示する（ステップＳ３０）。このようにして、利用者は、各ＰＣが保有するファイル名を、そのファイルが記憶されているフォルダ名とともに、表示部４にて視覚的に確認することができる。
【００４５】
そして、制御部１は、スキャンＴｏフォルダ処理を行う場合の対象先フォルダの指定を操作部５にて受け付ける（ステップＳ３１）とともに、スキャンファイル名の入力を操作部５にて受け付ける（ステップＳ３２）。また、制御部１は、Ｓ３１にて指定した対象先フォルダへ送出するスキャンファイル（スキャンすることにより得られる画像データ）のファイル形式の指定を操作部５にて受け付ける（ステップＳ３３）。なお、指定するファイル形式として、任意の形式であってよいが、実施の形態１と同様、ＴＩＦＦ形式、ＰＤＦ形式またはＪＰＥＧ形式のうちのいずれかの形式であるとして説明する。
【００４６】
制御部１は、Ｓ３３にて受け付けたファイル形式の指定がＴＩＦＦ形式であるか否かを判定し（ステップＳ３４）、ファイル形式の指定がＴＩＦＦ形式であると判定した場合（Ｓ３４：ＹＥＳ）、制御部１はデータ形式変換部１４に、Ｓ２５にて画像メモリ８から読み出した画像データをＴＩＦＦ形式へ変換するように要求し、データ形式変換部１４は、画像データをＴＩＦＦ形式に変換する（ステップＳ３５）。
【００４７】
一方、Ｓ３４にて、ファイル形式の指定がＴＩＦＦ形式でないと判定した場合（Ｓ３４：ＮＯ）、制御部１は、Ｓ３３にて受け付けたファイル形式の指定がＰＤＦ形式であるか否かを判定し（ステップＳ３６）、ファイル形式の指定がＰＤＦ形式であると判定した場合（Ｓ３６：ＹＥＳ）、制御部１はデータ形式変換部１４に、Ｓ２５にて画像メモリ８から読み出した画像データをＰＤＦ形式へ変換するように要求し、データ形式変換部１４は、画像データをＰＤＦ形式に変換する（ステップＳ３７）。
【００４８】
一方、Ｓ３６にて、ファイル形式の指定がＰＤＦ形式でないと判定した場合（Ｓ３６：ＮＯ）、制御部１はデータ形式変換部１４に、Ｓ２５にて画像メモリ８から読み出した画像データをＪＰＥＧ形式へ変換するように要求し、データ形式変換部１４は、画像データをＪＰＥＧ形式に変換する（ステップＳ３８）。
【００４９】
制御部１は、Ｓ３５、Ｓ３７またはＳ３８により所定のファイル形式に変換された画像データを、Ｓ３２にて受け付けたスキャンファイル名としたファイルとし、Ｓ３１にて指定を受け付けた対象先フォルダへ、ＣＩＦＳプロトコルのファイルコピー機能によりコピーする（ステップＳ３９）。なお、制御部１は画像メモリ８に蓄積したファクシミリ符号化形式の画像データを適宜削除するようにしておく。
【００５０】
以上のように、本発明のファクシミリ複合装置２０においては、一旦、読み取った原稿の画像データを圧縮して記憶メモリ８に記憶し、圧縮して記憶した画像データを、指定したデータ形式に変換してＰＣ３０ａ，３０ｂ，…へ送出する。よって、画像データを蓄積する画像メモリ８の記憶容量を削減することができる。例えば、ファクシミリ符号化形式の画像データを画像メモリ８に記憶しておけば、本フローのように、ファクシミリ送信処理とスキャンＴｏフォルダ処理とを行う場合に効果が大きい。
【００５１】
また、画像メモリ８に蓄積された画像データを、後になって送出する場合が容易に想定される。本発明のファクシミリ複合装置２０においては、画像データの蓄積を効率化することができるため、所望の画像データが画像メモリ８に存在する確率が高い。従って、画像データが画像メモリ８に存在すれば、原稿の読み取りを再度行う必要がなくなり利用者の負担を軽減することができる。
【００５２】
なお、上述した各実施の形態では、ＣＩＦＳプロトコルにより、ネットワーク（ＬＡＮ５０）を介して接続された情報記憶装置（ＰＣ３０ａ，３０ｂ，…）へのリモートファイルアクセスを行う形態について示したが、ＦＴＰプロトコル、ＨＴＴＰプロトコルなどによってファイルへのアクセスを行ってもよく、通信規約については限定されるものではない。例えば、ＦＴＰの場合、ｌｓコマンドで情報記憶装置が共有を許可しているフォルダ名およびファイル名を含む識別情報を取得し、ｐｕｔ（ｍｐｕｔ）コマンドで識別情報を指定して情報記憶装置へ所望のファイルを送出すればよい。
【図面の簡単な説明】
【００５３】
【図１】本発明の画像読取装置としてのファクシミリ複合装置が接続された態様の通信ネットワーク構成を示すブロック図である。
【図２】本発明の実施の形態１に係るファクシミリ複合装置が行う処理手順を示すフローチャートである。
【図３】本発明の実施の形態１に係るファクシミリ複合装置が行う処理手順を示すフローチャートである。
【図４】ファイルの識別情報の内容を示すテーブル図である。
【図５】ファイルの表示および受付時の表示画面の一例を示す模式図である。
【図６】本発明の実施の形態２に係るファクシミリ複合装置が行う処理手順を示すフローチャートである。
【図７】本発明の実施の形態２に係るファクシミリ複合装置が行う処理手順を示すフローチャートである。
【００５４】
１  制御部
２  読取部
３  記録部
４  表示部
５  操作部
５ａ  スキャンＴｏフォルダキー
５ｂ  スキャンキー
６  ＲＯＭ
７  ＲＡＭ
８  画像メモリ
１２  ＬＡＮＩＦ
１４  データ形式変換部
２０  ファクシミリ複合装置
３０ａ，３０ｂ  ＰＣ
３１  記憶部
５０  ＬＡＮ
【図１】
2005167357.tif 000003
【図２】
2005167357.tif 000004
【図３】
2005167357.tif 000005
【図４】
2005167357.tif 000006
【図５】
2005167357.tif 000007
【図６】
2005167357.tif 000008
【図７】
2005167357.tif 000009